(57)【要約】      （修正有）【課題】装置が廉価、かつ小型で、廃棄物の発生も非常に少なくランニングコストも安い、被浄化液中の蛋白の除去装置を提供する。【解決手段】被浄化液２のｐＨ値を、ｐＨ調整液流入口７からのｐＨ調整液の投入によって弱アルカリ以上にして被浄化液中の蛋白を予備凝集させ、予備凝集された蛋白を捕捉手段により捕捉するようにした。捕捉手段として、マグネシュウムの水酸化物からなる粉末状体もしくは顆粒状体あるいはペレット状体の吸着剤１６の相互間隙中に被浄化液を通過させて、被浄化液中の蛋白を凝集させ捕捉する凝集濾過装置１０を用いた。【選択図】図１
2010064064.tif 000002
【特許請求の範囲】
【請求項１】
被浄化液のｐＨ値を弱アルカリ以上にして被浄化液中の蛋白を予備凝集させる第一の工程と、
前記予備凝集された蛋白を捕捉手段により捕捉する第二の工程とを具備したことを特徴とする液体浄化装置。
【請求項２】
前記捕捉手段は、マグネシュウムの水酸化物からなる粉末状体もしくは顆粒状体あるいはペレット状体の吸着剤の相互間隙中に被浄化液を通過させて、被浄化液中の蛋白を凝集させ捕捉することを特徴とする請求項１記載の液体浄化装置。
【発明の詳細な説明】
【技術分野】
【０００１】  この発明は、例えば、食品工場の廃水中の蛋白、もしくは、医療機関の廃水中の蛋白等を除去する液体浄化装置に関する。
【背景技術】
【０００２】  例えば、製麺工場等の食品工場では廃水中に蛋白を含有しており、その除去は、凝集剤を多量に投入して、凝集沈殿槽で３０分程度静置沈殿させ、上澄液は下水放流し、沈殿物はフイルタプレスで濾過する凝集沈殿法が取られている。
また、医療機関の廃水中の蛋白の除去も、食品工場と同様の凝集沈殿法が取られているが、同廃水中の蛋白には多量の放射能を含有しており、その除去は厳重に処置されている。
【発明の開示】
【発明が解決しょうとする課題】
【０００３】  製麺工場等の食品工場における廃水処理は、凝集沈殿法が取られているため、多大な容積の凝集沈殿槽を必要とし、かつ、凝集剤を含む多量の廃棄物が発生する課題があった。
また、医療機関における廃水中の蛋白には多量の放射能を含有しているため、例えば、一日の廃水量：２００リットルの処理をするのに、５，０００万円以上の設備費を必要とし、また、放射能を含む多量の沈殿廃棄物の処理を必要とする課題があった。
【課題を解決するための手段】
【０００４】  請求項１の発明は、第一の工程において、被浄化液のｐＨ値を弱アルカリ以上にして被浄化液中の蛋白を予備凝集させ、第二の工程において、第一の工程で予備凝集された蛋白を捕捉手段により捕捉するようにしたものである。
請求項２の発明は、請求項１の発明の捕捉手段を、マグネシュウムの水酸化物からなる粉末状体もしくは顆粒状体あるいはペレット状体の吸着剤の相互間隙中に被浄化液を通過させて、被浄化液中の蛋白を凝集させ捕捉するようにしたものである。
【０００５】  図１は、この発明の一実施例を示すフローで、被浄化液流入口１からの被浄化液２は、浄化タンク３のダーティタンク４に注ぎ込まれ、仕切壁５をオーバーフローしてクリーンタンク６に流入する。ｐＨ調整液流入口７から、例えば、苛性ソーダーがダーティタンク４内の被浄化液２に注入され、被浄化液２のｐＨ値を、例えば、ｐＨ９．５に調整し、被浄化液２中の蛋白を予備凝集する。
ポンプ８は、ダーティタンク４内の被浄化液２を、前処理フイルタ９と捕捉手段である凝集濾過装置１０とを介してクリーンタンク６内に送り込んで循環濾過し、浄化された浄化液１１は、ポンプ１２によって浄化タンク３外に汲み出される。
【０００６】  凝集濾過装置１０は管体１３内にセットされた吸着剤カセット１４を備え、吸着剤カセット１４は、中心軸にセットされた、例えば、絶対値２０μｍの円筒状のフイルタ１５と、フイルタ１５の外周に充填された水酸化マグネシュウムを主成分とする吸着剤１６と、吸着剤１６の外周に設けられた２００μｍの濾紙１７とからなっている。
【０００７】  凝集濾過装置１０の凝集作用は、吸着剤の電荷０ポイントの性状を利用して行う。
即ち、被浄化液２のｐＨ値が吸着剤１６の電荷０ポイントより低いｐＨ領域の場合、吸着剤１６から負に帯電する水酸基が被浄化液２中に溶解して、吸着剤１６の表面が正に帯電する性状を利用する。
吸着剤１６が水酸化マグネシュウムの場合、その電荷０ポイントはｐＨ１２で、ｐＨ領域がｐＨ６〜ｐＨ１２の被浄化液２中にあっては、水酸化マグネシュウムから水酸基が被浄化液２中へ溶解して、水酸化マグネシュウムの表面は正に帯電する。
一方、被浄化液２中の微粒子は、ｐＨ６〜ｐＨ１２の領域の水溶液中にあっては負に帯電する。
例えば、被浄化液２中の微粒子が鉄粉の場合、被浄化液２中では鉄粉は酸化鉄となり、その電荷０ポイントはｐＨ４で、ｐＨ６〜ｐＨ１２の被浄化液２中では負に帯電する。
負に帯電している微粒子は、正に帯電している吸着剤１６の表面に吸引されて微粒子の相互間距離が、互いに吸引力が働きく距離まで狭くなり、互いに凝集して大きな塊となる。大きな塊となった微粒子は、目の粗い、例えば２０μｍのフイルタ１５で捕捉される。
現時点で知られているあらゆる物質の電荷０ポイントは、水酸化マグネシュウムが一番高い。このため、ｐＨ６〜ｐＨ１２の領域の水溶液中にあっては殆どの物質が凝集する。
【０００８】  図２は、豆腐工場の廃水である被浄化液２を示す写真で、被浄化液流入口１からダーティタンク４に注ぎ込まれる。
図３は、図２の写真で示す被浄化液２を、前処理フイルタ９と凝集濾過装置１０とで、１パス濾過したクリーンタンク６内の浄化液１１を示す。
図２の写真で示す被浄化液２と、図３の写真で示す浄化液１１との比較から明らかなように、凝集濾過装置１０の凝集濾過により被浄化液２中の混入不純物は完全に濾過され、浄化液１１は透明状態になる。
【０００９】  また、被浄化液２中に含有している蛋白は、ｐＨ調整液流入口７から、例えば、苛性ソーダーの投入により、被浄化液２のｐＨ値を９．５にして予備凝集し、その後、凝集濾過装置１０の凝集濾過により、表１に示すように、被浄化液２中の蛋白含有量２３ｐｐｍから、浄化液１１中の蛋白含有量１２ｐｐｍに低減している。
【表１】
2010064064.tif 000003
なお、被浄化液２のｐＨ値は、上記実施例では、ｐＨ９．５としたが、ｐＨ８．５の弱アルカリ性以上であればよい。
【００１０】  また、水酸化マグネシュウムを主成分とした吸着剤１６を用いた場合、被浄化液２のｐＨ値を１０にしょうとして、水酸化マグネシュウムから水酸基が被浄化液２中に溶解し、水酸基が溶解し尽くすと被浄化液２のｐＨ値は、元の被浄化液２のｐＨ値に近づく。
水酸基が溶解し尽くしても吸着剤１６の表面はプラス電位を維持するため、吸着剤１６の凝集能力は持続する。しかしながら、この凝集能力のみでは蛋白の除去は困難である。
このため、ｐＨ調整液流入口７から、例えば、苛性ソーダーの投入をせず、蛋白の予備凝集をしない場合、凝集濾過装置１０の単独使用では連続した蛋白の除去は困難となる。
従って、ｐＨ調整液流入口７から、例えば、苛性ソーダーの投入によるｐＨ値の調整が必要となる。この場合のｐＨ値の範囲は８．５〜１２であり、ｐＨ９．５が最適である。
【００１１】  上記実施例では、捕捉手段として凝集濾過装置１０で凝集する場合について述べたが、望まれる蛋白の除去精度によっては、凝集濾過装置１０の代わりに、精密濾過フイルタ、セラミックフイルタ、限外濾過膜等の捕捉手段を用いてもよい。
この場合、予備凝集させるためのｐＨ値は、水酸化マグネシュウムの如き電荷０ポイントに関係なく、ｐＨ８．５の弱アルカリ性以上であれば良い。
【００１２】  また、上記実施例では、食品工場である製麺工場の廃水中の蛋白の除去について述べたが、医療機関の廃水中の蛋白の除去についても、同様にして行うことが出来る。
この場合、放射能を含有した廃棄物としては、吸着剤カセット１４のみとなり、従来の如き、放射能を含有した大量の疑集沈殿物の廃棄処分の必要は無くなる。
【発明の効果】
特許請求項１の発明は、被浄化液のｐＨ値を弱アルカリ以上にして被浄化液中の蛋白を予備凝集させて後、予備凝集された蛋白を捕捉手段により捕捉するようにしているため、装置が廉価、かつ、小型となり、廃棄物の発生も非常に少なく、ランニングコストも安くなる効果がある。
特許請求項２の発明は、特許請求項１の発明における捕捉手段として、マグネシュウムの水酸化物からなる粉末状体もしくは顆粒状体あるいはペレット状体の吸着剤の相互間隙中に被浄化液を通過させて、被浄化液中の蛋白を凝集させ捕捉するようにしているため、蛋白除去精度を高めることが出来る。
【図面の簡単な説明】
【図１】  この発明の一実施例を示す図。
【図２】  図１における被浄化液を示す写真。
【図３】  図１における浄化液を示す写真。
【符号の説明】
２：被浄化液
７：ｐＨ調整液流入口
１０：凝集濾過装置
１１：浄化液
１４：吸着剤カセット
１５：フイルタ
１６：吸着剤
【図１】
2010064064.tif 000004
【図２】
2010064064.tif 000005
【図３】
2010064064.tif 000006